【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
被熱転写シートにおける受容層形成用組成物であって、
下記（Ａ）のコア部と下記（Ｂ）のシェル部からなるコア／シェル型のラテックスと、ヒドロキシアルキル（メタ）アクリレートを少なくとも一つの重合成分とする親水性アクリル樹脂とを含む受容層形成用組成物。
（Ａ）置換若しくは非置換のフェノキシアルキル（メタ）アクリレート及び／又は置換若しくは非置換のフェノキシポリアルキレングリコール（メタ）アクリレートを少なくとも重合成分の一つとして含むアクリル樹脂
（Ｂ）カルボキシル基を含有するウレタン樹脂
【請求項２】
上記ウレタン樹脂は、脂肪族ポリエステルポリオール、脂肪族ポリカーボネートジオールから選択される少なくとも１種類と、カルボキシル基を含有する脂肪族ポリオールと、イソシアネート化合物との反応生成物からなる請求項１記載の受容層形成用組成物。
【請求項３】
上記親水性アクリル樹脂の主な重合成分は、ヒドロキシメチル（メタ）アクリレート、２−ヒドロキシエチル（メタ）アクリレート、３−ヒドロキシプロピル（メタ）アクリレート及び２−ヒドロキシプロピル（メタ）アクリレートから選択される少なくとも１種類のモノマーからなる請求項１記載の受容層形成用組成物。
【請求項４】
上記親水性アクリル樹脂の主な重合成分は、ヒドロキシメチル（メタ）アクリレート、２−ヒドロキシエチル（メタ）アクリレート、３−ヒドロキシプロピル（メタ）アクリレート及び２−ヒドロキシプロピル（メタ）アクリレートから選択される少なくとも１種類のモノマーからなる請求項２記載の受容層形成用組成物。
【請求項５】
少なくとも基材の片面に受容層を設けてなる被熱転写シートにおいて、
上記受容層が、主に下記（Ａ）のコア部と下記（Ｂ）のシェル部からなるコア／シェル型のラテックスと、ヒドロキシアルキル（メタ）アクリレートを少なくとも一つの重合成分とする親水性アクリル樹脂とを含む受容層形成用組成物を塗工し、乾燥して形成したものである被熱転写シート。
（Ａ）置換若しくは非置換のフェノキシアルキル（メタ）アクリレート及び／又は置換若しくは非置換のフェノキシポリアルキレングリコール（メタ）アクリレートを少なくとも重合成分の一つとして含むアクリル樹脂
（Ｂ）カルボキシル基を含有するウレタン樹脂
【請求項６】
上記ウレタン樹脂は、脂肪族ポリエステルポリオール、脂肪族ポリカーボネートジオールから選択される少なくとも１種類と、カルボキシル基を含有する脂肪族ポリオールと、イソシアネート化合物との反応生成物からなる請求項５記載の被熱転写シート。
【請求項７】
上記親水性アクリル樹脂の主な重合成分は、ヒドロキシメチル（メタ）アクリレート、２−ヒドロキシエチル（メタ）アクリレート、３−ヒドロキシプロピル（メタ）アクリレート及び２−ヒドロキシプロピル（メタ）アクリレートから選択される少なくとも１種類のモノマーからなる請求項５記載の被熱転写シート。
【請求項８】
上記親水性アクリル樹脂の主な重合成分は、ヒドロキシメチル（メタ）アクリレート、２−ヒドロキシエチル（メタ）アクリレート、３−ヒドロキシプロピル（メタ）アクリレート及び２−ヒドロキシプロピル（メタ）アクリレートから選択される少なくとも１種類のモノマーからなる請求項６記載の被熱転写シート。
【請求項９】
上記基材は、ポリオレフィンラミネート紙の少なくとも片面に中空粒子を含むボイド層を設けたものであり、該ボイド層の上に上記受容層を設けてなる請求項５記載の被熱転写シート。
【請求項１０】
少なくとも基材の片面に、主に下記（Ａ）のコア部と下記（Ｂ）のシェル部からなるコア／シェル型のラテックスと、ヒドロキシアルキル（メタ）アクリレートを少なくとも一つの重合成分とする親水性アクリル樹脂とを含む受容層形成用組成物を塗工し乾燥して受容層を形成する被熱転写シートの製造方法。
（Ａ）置換若しくは非置換のフェノキシアルキル（メタ）アクリレート及び／又は置換若しくは非置換のフェノキシポリアルキレングリコール（メタ）アクリレートを少なくとも重合成分の一つとして含むアクリル樹脂
（Ｂ）カルボキシル基を含有するウレタン樹脂
【請求項１１】
上記ウレタン樹脂は、脂肪族ポリエステルポリオール、脂肪族ポリカーボネートジオールから選択される少なくとも１種類と、カルボキシル基を含有する脂肪族ポリオールと、イソシアネート化合物との反応生成物からなる請求項１０記載の被熱転写シートの製造方法。
【請求項１２】
上記親水性アクリル樹脂の主な重合成分は、ヒドロキシメチル（メタ）アクリレート、２−ヒドロキシエチル（メタ）アクリレート、３−ヒドロキシプロピル（メタ）アクリレート及び２−ヒドロキシプロピル（メタ）アクリレートから選択される少なくとも１種類のモノマーからなる請求項１０記載の被熱転写シートの製造方法。
【請求項１３】
上記親水性アクリル樹脂の主な重合成分は、ヒドロキシメチル（メタ）アクリレート、２−ヒドロキシエチル（メタ）アクリレート、３−ヒドロキシプロピル（メタ）アクリレート及び２−ヒドロキシプロピル（メタ）アクリレートから選択される少なくとも１種類のモノマーからなる請求項１１記載の被熱転写シートの製造方法。
【請求項１４】
上記基材は、ポリオレフィンラミネート紙の少なくとも片面に中空粒子を含むボイド層を設けたものであり、該ボイド層の上に上記受容層を設けてなる請求項１０記載の被熱転写シートの製造方法。
【手続補正２】
【補正対象書類名】明細書
【補正対象項目名】発明の名称
【補正方法】変更
【補正の内容】
【発明の名称】受容層形成用組成物、被熱転写シート及びその製造方法
【手続補正３】
【補正対象書類名】明細書
【補正対象項目名】０００１
【補正方法】変更
【補正の内容】
【０００１】
本発明は、熱転写インク層を有する熱転写シートと共に用いられる被熱転写シートに使用する受容層形成用組成物、及びこの組成物により形成された受容層を有する被熱転写シートに関する。更に詳しくは、中間階調部のザラツキ感が抑制され、転写濃度及び画像耐光性に優れた受容層を形成できる受容層形成用組成物、この組成物により形成された受容層を有する被熱転写シート及びその製造方法に関する。
【手続補正４】
【補正対象書類名】明細書
【補正対象項目名】００１０
【補正方法】変更
【補正の内容】
【００１０】
本発明は、昨今の市場から熱転写記録に求められる優れた転写濃度や画像耐光性を得ることができる受容層を形成する受容層形成用組成物、この受容層を有する被熱転写シート及びその製造方法を提供することを目的とする。
【手続補正５】
【補正対象書類名】明細書
【補正対象項目名】００１１
【補正方法】変更
【補正の内容】
【００１１】
また、本発明は、銀塩写真に近いポリオレフィンラミネート紙上に中間層を設けたような基材を用いた被熱転写シートで生じ易い中間階調部のザラツキ感をも抑制した受容層形成用組成物、被熱転写シート及びその製造方法を提供することを目的とする。
【手続補正６】
【補正対象書類名】明細書
【補正対象項目名】００１３
【補正方法】変更
【補正の内容】
【００１３】
上述した目的を達成する本発明に係る被熱転写シートは、少なくとも基材の片面に受容層を設けてなるものであり、受容層は、上記受容層形成用組成物を基材の片面に塗工し、乾燥して形成したものである。
上述した目的を達成する本発明に係る被熱転写シートの製造方法は、少なくとも基材の片面に、上記受容層形成用組成物を塗工し乾燥して受容層を形成する。
【手続補正７】
【補正対象書類名】明細書
【補正対象項目名】００７７
【補正方法】変更
【補正の内容】
【００７７】
以上のような被熱転写シート１及び熱転写シート４を用いて、熱転写プリンタ装置で印刷する場合には、イエロー色インク層６Ｙと染料受容層３とを対向させ、イエロー色インク層６を加熱し、染料受容層３にイエローの染料を熱転写する。被熱転写シート１では、染料受容層３が上述のコア／シェル型のラテックスと、ヒドロキシアルキル（メタ）アクリレートを少なくとも一つの重合成分とする親水性アクリル樹脂とを含む樹脂組成物によって形成されているため、イエロー染料が染料受容層３に十分に拡散、定着する。そして、マゼンタの染料を被熱転写シート１に転写するため、マゼンタ色インク層６Ｍとサーマルヘッド及びプラテンが対向するように熱転写シート４を搬送すると共に、被熱転写シート１と剥離する。この被熱転写シート１では、染料受容層３が上述した樹脂組成物によって形成されていることによって剥離性が高く、不具合が生じることなく、熱転写シート４を剥離することができる。マゼンタの染料を転写した後、同様にして、シアンの染料を被熱転写シート１に転写して、画像等を形成することができる。この際にも、マゼンタ及びシアンの染料が染料受容層３に十分に拡散、定着し、熱転写シート４との剥離性が良好である。